(57)【要約】【課題】  アドレス帳に記憶された多くの情報が文字変換処理によって出力される情報処理装置を提供する。【解決手段】  アドレス帳辞書作成部２３は、アドレス帳管理部２１によってアドレス帳２２ａに複数の項目からなる１人の情報が追加された場合、その人物の名前の読みがなと、追加された全ての項目との組をアドレス帳辞書２４ａに追加する。更に、それぞれの項目の読みがなと、その項目の情報との組をアドレス帳辞書２４ａに追加する。そして、文字変換部３１は、文字変換辞書３２ａと、アドレス帳辞書２４ａとを用いて文字変換を行う。【選択図】  図１
2006318411.tif 000002
【特許請求の範囲】
【請求項１】
電話番号、メールアドレス、名称、およびこの名称に対する読みの各情報を対応付けたアドレス帳と、
読みと、変換候補とを対応付けた文字変換辞書と、
読みに対応して前記アドレス帳に記憶されている前記情報および文字変換辞書に記憶されている変換候補とを、入力された読みの変換対象とする文字変換手段と
を有することを特徴とする情報処理装置。
【請求項２】
前記情報処理装置は、前記アドレス帳に記憶されている読みと、この読みに対応して記憶されている前記情報を変換候補として記憶するアドレス帳辞書を更に備え、
前記アドレス帳に新たな読みと該読みに対応して情報が登録される毎に、この登録された読みと該読みに対応して登録された情報とを用いて前記アドレス帳辞書を更新する更新手段と
を有することを特徴とする請求項１に記載の情報処理装置。
【請求項３】
前記名称は苗字と名前とからなり、前記更新手段は、苗字に対応する読みと該読みに対応付けて登録された情報、および名前に対応する読みと該読みに対応付けて登録された情報、それぞれを前記アドレス帳辞書に登録する
ことを特徴とする請求項２に記載の情報処理装置。
【請求項４】
前記アドレス帳は住所データを更に有し、前記文字変換手段は、前記アドレス帳に記憶されている住所データの少なくとも一部を変換対象とする
ことを特徴とする請求項１に記載の情報処理装置。
【請求項５】
電話番号、メールアドレス、名称、およびこの名称に対する読みの各情報を対応付けたアドレス帳と、
読みと、変換候補とを対応付けた文字変換辞書と、
数字情報の入力があると、該数字情報と一致する電話番号と対応付けられて前記アドレス帳に記憶されている前記情報および該数字情報と一致する読みと対応付けられて文字変換辞書に記憶されている変換候補とを、入力された数字情報の変換対象とする文字変換手段と
を有することを特徴とする情報処理装置。
【発明の詳細な説明】
【技術分野】
【０００１】
本発明は、情報処理装置に係り、特に、この情報処理装置で実行されるアドレス帳に記憶された情報を利用した文字変換処理に関する。
【背景技術】
【０００２】
移動通信端末装置を始めとして、多くの装置には、名前（漢字表記）、名前の読みがな、住所、電話番号、電子メールアドレスなどの情報を含んだアドレス帳が存在しており、このアドレス帳に登録されている読みがなをかな漢字変換に利用したかな漢字変換方法が知られている（例えば、特許文献１参照。）。
【特許文献１】特開２０００−２６８０３０号公報（第２頁、図１）
【発明の開示】
【発明が解決しようとする課題】
【０００３】
しかしながら、上述した特許文献１に開示されている手法では、名前の読みがなを入力して名前を出力するかな漢字変換に利用することが可能となるものの、アドレス帳に記憶された名前以外の情報を文字変換に利用できない問題点があった。
【０００４】
本発明は上記問題点を解決するためになされたもので、アドレス帳に記憶された多くの情報が文字変換処理によって出力される情報処理装置及び文字変換方法を提供することを目的とする。
【課題を解決するための手段】
【０００５】
上記目的を達成するために、本発明に係る情報処理装置においては、電話番号、メールアドレス、名称、およびこの名称に対する読みの各情報を対応付けたアドレス帳と、読みと、変換候補とを対応付けた文字変換辞書と、読みに対応して前記アドレス帳に記憶されている前記情報および文字変換辞書に記憶されている変換候補とを、入力された読みの変換対象とする文字変換手段とを有することを特徴とする。
【０００６】
また、他の発明に係る情報処理装置においては、電話番号、メールアドレス、名称、およびこの名称に対する読みの各情報を対応付けたアドレス帳と、読みと、変換候補とを対応付けた文字変換辞書と、数字情報の入力があると、該数字情報と一致する電話番号と対応付けられて前記アドレス帳に記憶されている前記情報および該数字情報と一致する読みと対応付けられて文字変換辞書に記憶されている変換候補とを、入力された数字情報の変換対象とする文字変換手段とを有することを特徴とする。
【発明の効果】
【０００７】
本発明によれば、アドレス帳に記憶された多くの情報が文字変換処理によって出力される情報処理装置及び文字変換方法を提供することができる。
【発明を実施するための最良の形態】
【０００８】
以下に、本発明による情報処理装置の実施の形態を、図面を参照して説明する。図１は、本発明の実施形態に係る情報処理装置の構成を示すブロック図である。この情報処理装置は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、表示部１５と、入力装置１６と、アドレス帳管理部２１と、アドレス帳記憶部２２と、アドレス帳辞書作成部２３と、アドレス帳辞書記憶部２４と、文字変換部３１と、文字変換辞書記憶部３２と、郵便番号簿記憶部３３とからなる。
【０００９】
以下、上記情報処理装置を構成する各部について説明する。
【００１０】
アドレス帳記憶部２２は、例えば図２に示すようなアドレス帳２２ａを記憶する。そして、このアドレス帳２２ａは、姓読みがな２２ｂと、名読みがな２２ｃと、姓２２ｄと、名２２ｅと、電話番号２２ｆと、電子メールアドレス２２ｇと、住所２２ｈと、会社名２２ｉと、姓の入力読み２２ｊと、名の入力読み２２ｋとの項目２２ｍとが対応付けられた情報の組からなる。また、姓読みがな２２ｂと、名読みがな２２ｃと、姓の入力読み２２ｊと、名の入力読み２２ｋとを除く各項目２２ｍに対応しては、その項目２２ｍを識別する項目の読み２２ｎが付されている。
【００１１】
なお、項目の読み２２ｎは、対応する項目２２ｍを識別できるひらがな文字であれば良く、対応する項目２２ｍの名称の読みがなであることを必ずしも要しない。
【００１２】
即ち、姓２２ｄには「なまえ」なる項目の読み２２ｎが、名２２ｅには「な」なる項目の読み２２ｎが、電話番号２２ｆには「でんわ」なる項目の読み２２ｎが、電子メールアドレス２２ｇには「あどれす」なる項目の読み２２ｎが、住所２２ｈには「じゅうしょ」なる項目の読み２２ｎが、会社名２２ｉには「かいしゃ」なる項目の読み２２ｎが、それぞれ付されている。
【００１３】
これらの項目の読み２２ｎは、各項目２２ｍと同時に設定されたものであっても良く、また、入力装置１６のキーの押下によって設定されたものであっても良い。更に、設定された各項目２２ｍの名称は、後に説明する文字変換辞書を用いて漢字を含む文字を読みがなに変換することによって行われても良い。
【００１４】
アドレス帳辞書記憶部２４は、例えば図３に示すようなアドレス帳辞書２４ａを記憶する。そして、このアドレス帳辞書２４ａは、読み２４ｂと、１つまたは複数の変換候補２４ｃとが対応付けられた情報の組からなる。
【００１５】
文字変換辞書記憶部３２は、例えば図４に示すような文字変換辞書３２ａを記憶する。そして、この文字変換辞書３２ａは、読み３２ｂと、１つまたは複数の変換候補３２ｃとが対応付けられた情報の組からなる。読み３２ｂは、ひらがな文字または数字である。
【００１６】
郵便番号簿記憶部３３は、例えば図５に示すような郵便番号簿３３ａを記憶する。そして、この郵便番号簿３３ａは、郵便番号３３ｂと、住所３３ｃとが対応付けられた情報の組からなる。
【００１７】
通信部１２ｂは、アンテナ１２ａが受信した高周波信号を送受信部１３へ出力し、また、送受信部１３から出力される高周波信号をアンテナ１２ａより送信する。
【００１８】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１９】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００２０】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００２１】
入力装置１６は、通信相手の電話番号などを指定し、また、トグル式の入力方式によってひらがな文字、アルファベット文字及び記号文字を入力するための数字キーと、カーソル移動キーを含む複数の機能キーとを含むキーからなる。そして、入力装置１６のキーが押下されると、そのキーの識別子が制御部１１に通知され、制御部１１によって、表示部１５に文字として表示され、または、制御が行われる。
【００２２】
アドレス帳管理部２１は、アドレス帳２２ａに情報を格納し、また、アドレス帳２２ａに記憶された情報の管理を行う。また、アドレス帳管理部２１は、情報処理装置の各処理部から送信された検索指示を受信して、その検索指示に従った検索を行って、得られた検索結果を検索指示を送信した処理部に送信する。ここで、検索指示は、項目２２ｍと、その項目２２ｍの値とからなり、項目２２ｍとその値とが所定の関係にある情報の組を検索するものである。また、検索指示は、項目の読み２２ｎからなり、その項目の読み２２ｎに対応する項目２２ｍの値を検索するものである。
【００２３】
アドレス帳辞書作成部２３は、アドレス帳２２ａを読み込んで、そのアドレス帳２２ａの情報から文字変換部３１が文字変換のための辞書として用いる形式であるアドレス帳辞書２４ａを作成して、そのアドレス帳辞書２４ａをアドレス帳辞書記憶部２４に格納する。
【００２４】
文字変換部３１は、ひらがな文字を入力して、その文字を漢字を含む文字に変換して出力するかな漢字変換を行い、更に、数字を入力して、その数字を漢字を含む文字に変換して出力するかな漢字変換を行い、その数字を電話番号２２ｆとして持つ情報の組をアドレス帳２２ａから検索して出力し、また、その数字を郵便番号３３ｂとして持つ住所３３ｃを郵便番号簿３３ａから検索し、その住所３３ｃを住所２２ｈとして持つ情報の組をアドレス帳２２ａから検索して出力する。
【００２５】
以下、本発明の情報処理装置の動作について説明する。
【００２６】
（アドレス帳管理部の動作）
図６は、アドレス帳管理部２１の動作のフローチャートを示す。アドレス帳管理部２１は、使用者が入力装置１６の所定のキーを押下することにより、制御部１１によって起動される（ステップＳ２１ａ）。そして、アドレス帳記憶部２２からアドレス帳２２ａを読み込み、例えば、姓２２ｄの一覧を表示部１５に表示する（ステップＳ２１ｂ）。
【００２７】
そして、アドレス帳管理部２１は、押下された入力装置１６のキーの識別子を受信して、受信された識別子に従って、表示された姓２２ｄの中の１つを選択することによって、操作対象となるアドレス帳２２ａに記憶された情報の組を選択する（ステップＳ２１ｃ）。なお、後述するように、操作がアドレス帳２２ａに新たな情報の組を登録する場合、アドレス帳管理部２１の動作は、いずれの情報の組が選択されているかに依存しない。
【００２８】
次に、アドレス帳管理部２１は、押下された入力装置１６のキーの識別子を受信することによって、操作の指示を受信し（ステップＳ２１ｄ）、その操作指示を調べる（ステップＳ２１ｅ）。その操作指示が、アドレス帳２２ａに新たな情報の組を登録する指示である場合、アドレス帳管理部２１は、表示部１５に姓読みがな２２ｂ、名読みがな２２ｃ、姓２２ｄ、名２２ｅ、電話番号２２ｆ、電子メールアドレス２２ｇ、住所２２ｈ、及び、会社名２２ｉの入力を促す表示を行って、この表示に促されて入力された情報が追加されたアドレス帳２２ａをアドレス帳記憶部２２に更新格納する。
【００２９】
これらの入力された情報は、入力装置１６のキーの押下によって入力された情報、または、その入力された情報がひらがな文字であって、そのひらがな文字が文字変換部３１によって漢字を含む文字に変換された情報である。なお、姓の入力読み２２ｊは、姓２２ｄが文字変換部３１による文字変換を経て入力される際、入力装置１６のキーの押下によって入力されたひらがな文字であり、名の入力読み２２ｋは、名２２ｅが文字変換部３１による文字変換を経て入力される際、入力装置１６のキーの押下によって入力されたひらがな文字である（ステップＳ２１ｆ）。
【００３０】
図７は、上記入力を促す表示が行われ、その入力がされる際の表示部１５の表示の一例を示す。即ち、表示部１５の上部の操作表示欄１５ａには、「アドレス帳新規登録」なる文字が表示されている。また、表示部１５の中央部の登録情報表示欄１５ｂには、入力を促す表示がされている。即ち、「姓」、「名」、「姓読みがな」、「名読みがな」、「電話番号」、「電子メールアドレス」、「住所」、及び、「会社名」なる文字列が縦方向に列挙して表示されている。
【００３１】
更に、それぞれの入力を促す文字の右に、入力された姓２２ｄ「鈴木」、名２２ｅ「太郎」、姓読みがな２２ｂ「すずき」、名読みがな２２ｃ「たろう」、及び、電話番号２２ｆ「１２３４５６７」が表示されている。また、電子メールアドレス２２ｇ、住所２２ｈ、及び、会社名２２ｉには入力がされていないので、それらの表示がされていない。
【００３２】
また、表示部１５の下部の指示表示欄１５ｃには、「戻る」及び「登録」の２つ指示が表示されている。「戻る」の指示に対応する機能キーが押下された場合、アドレス帳管理部２１は、アドレス帳２２ａに新たな情報の組を登録する動作を中止して、ステップＳ２１ｃの操作対象となる情報の組を選択する動作に戻る（図６に示すフローチャートには図示せず）。また、「登録」の指示に対応する機能キーが押下された場合、アドレス帳管理部２１は、登録情報表示欄１５ｂを用いて入力された情報と、姓の入力読み２２ｊと、名の入力読み２２ｋとからなる情報の組が追加されたアドレス帳２２ａをアドレス帳記憶部２２に更新格納して、ステップＳ２１ｆの動作を完了する。
【００３３】
ステップＳ２１ｆの動作に続いて、アドレス帳管理部２１は、アドレス帳辞書作成部２３を起動して（ステップＳ２１ｇ）、アドレス帳辞書作成部２３の動作終了の後、ステップＳ２１ｂのアドレス帳２２ａを読み込み、表示する動作に戻る。なお、アドレス帳辞書作成部２３を起動する際、行われた操作は登録であることと、登録された情報の組とを引数として与える。
【００３４】
一方、ステップＳ２１ｅで調べた操作指示が、アドレス帳２２ａに記憶された情報の組を修正する指示である場合、アドレス帳管理部２１は、図７に示すアドレス帳２２ａに新たな情報の組を登録する際の画面と同様に、操作表示欄１５ａに「アドレス帳修正」なる文字を表示し、登録情報表示欄１５ｂに「姓」、「名」、「姓読みがな」、「名読みがな」、「電話番号」、「電子メールアドレス」、「住所」、及び、「会社名」なる文字列が縦方向に列挙して表示する。
【００３５】
更に、それぞれの文字の右にステップＳ２１ｃで選択された情報の組の姓２２ｄ、名２２ｅ、姓読みがな２２ｂ、名読みがな２２ｃ、電話番号２２ｆ、電子メールアドレス２２ｇ、住所２２ｈ、及び、会社名２２ｉを表示し、修正を入力する。更に、指示表示欄１５ｃに「戻る」及び「登録」の２つの指示を表示する。
【００３６】
そして、表示された姓２２ｄ、姓読みがな２２ｂ、電話番号２２ｆ、電子メールアドレス２２ｇ、住所２２ｈ、及び、会社名２２ｉの中の１つ、または、複数の修正が行われ、指示表示欄１５ｃに表示された「登録」の指示に対応する機能キーが押下された場合、アドレス帳管理部２１は、ステップＳ２１ｃで選択された情報の組が登録情報表示欄１５ｂを用いて修正された情報と、姓の入力読み２２ｊと、名の入力読み２２ｋとからなる情報の組に修正されたアドレス帳２２ａをアドレス帳記憶部２２に更新格納する（ステップＳ２１ｈ）。
【００３７】
なお、「戻る」の指示に対応する機能キーが押下された場合、アドレス帳管理部２１は、アドレス帳２２ａの情報の組を修正する動作を中止して、ステップＳ２１ｃの操作対象となる情報の組を選択する動作に戻る（図６に示すフローチャートには図示せず）。
【００３８】
次に、アドレス帳管理部２１は、アドレス帳辞書作成部２３を起動して（ステップＳ２１ｉ）、アドレス帳辞書作成部２３の動作終了の後、ステップＳ２１ｂのアドレス帳２２ａを読み込み、表示する動作に戻る。なお、アドレス帳辞書作成部２３を起動する際、行われた操作は修正であることを引数として与える。
【００３９】
一方、ステップＳ２１ｅで調べた操作指示が、アドレス帳２２ａに記憶された情報の組を削除する指示である場合、アドレス帳管理部２１は、ステップＳ２１ｃで選択された情報の組を削除したアドレス帳２２ａをアドレス帳記憶部２２に更新格納する（ステップＳ２１ｊ）。そして、アドレス帳辞書作成部２３を起動して（ステップＳ２１ｋ）、アドレス帳辞書作成部２３の動作終了の後、ステップＳ２１ｂのアドレス帳２２ａを読み込み、表示する動作に戻る。なお、アドレス帳辞書作成部２３を起動する際、行われた操作は削除であることを引数として与える。
【００４０】
なお、ステップＳ２１ｅで調べた操作指示が、アドレス帳管理部２１の動作終了である場合（図６に示すフローチャートには図示せず）、アドレス帳管理部２１は、動作を終了する。
【００４１】
（アドレス帳辞書作成部の動作）
図８は、アドレス帳辞書作成部２３の動作のフローチャートを示す。
【００４２】
アドレス帳辞書作成部２３は、アドレス帳管理部２１によって起動され、動作を開始する（ステップＳ２３ａ）。その際、アドレス帳管理部２１がアドレス帳２２ａに対して行った操作が引数として与えられる。そして、アドレス帳辞書作成部２３は、引数として与えられた操作を調べる（ステップＳ２３ｂ）。
【００４３】
引数として与えられた操作が登録である場合、アドレス帳辞書作成部２３は、引数として与えられたアドレス帳２２ａの１組の情報、即ち、姓読みがな２２ｂと、名読みがな２２ｃと、姓２２ｄと、名２２ｅと、電話番号２２ｆと、電子メールアドレス２２ｇと、住所２２ｈと、会社名２２ｉと、姓の入力読み２２ｊと、名の入力読み２２ｋとから、以下に説明するアドレス帳辞書２４ａの情報の組、即ち、読み２４ｂと、変換候補２４ｃとを作成し、それらの組が追加されたアドレス帳辞書２４ａをアドレス帳辞書記憶部２４に更新格納して（ステップＳ２３ｃ）、動作を終了する（ステップＳ２３ｄ）。
【００４４】
ステップＳ２３ｃで作成する読み２４ｂと、変換候補２４ｃとの組は、以下の通りである。上記組は、姓読みがな２２ｂを読み２４ｂとし、姓２２ｄと、名２２ｅと、姓２２ｄと名２２ｅとの連結と、電話番号２２ｆと、電子メールアドレス２２ｇと、住所２２ｈと、会社名２２ｉとを変換候補２４ｃとする組である。
【００４５】
なお、姓読みがな２２ｂに情報が記憶されていない場合、及び、アドレス帳２２ａに姓読みがな２２ｂが含まれていない場合、アドレス帳辞書作成部２３は、姓読みがな２２ｂに代えて、姓の入力読み２２ｊを用いる。
【００４６】
上記組は、更に、名読みがな２２ｃを読み２４ｂとし、姓２２ｄと、名２２ｅと、姓２２ｄと名２２ｅとの連結と、電話番号２２ｆと、電子メールアドレス２２ｇと、住所２２ｈと、会社名２２ｉとを変換候補２４ｃとする組である。
【００４７】
なお、名読みがな２２ｃに情報が記憶されていない場合、及び、アドレス帳２２ａに名読みがな２２ｃが含まれていない場合、アドレス帳辞書作成部２３は、名読みがな２２ｃに代えて、名の入力読み２２ｋを用いる。
【００４８】
ここで、読み２４ｂは姓読みがな２２ｂ、姓の入力読み２２ｊ、名読みがな２２ｃまたは名の入力読み２２ｋであるとしたが、これに限るものではない。アドレス帳２２ａの項目２２ｍの中で、ひらがな文字である項目２２ｍであれば、いずれであっても良い。更に、それらのひらがな文字である複数の項目２２ｍのそれぞれに対して上記組を作成しても良い。
【００４９】
上記組は、更に、姓２２ｄの項目の読み２２ｎ「なまえ」を読み２４ｂとし、姓２２ｄ及び姓２２ｄと名２２ｅとの連結を変換候補２４ｃとする組と、名２２ｅの項目の読み２２ｎ「な」を読み２４ｂとし、名２２ｅ及び姓２２ｄと名２２ｅとの連結を変換候補２４ｃとする組と、電話番号２２ｆの項目の読み２２ｎ「でんわ」を読み２４ｂとし、電話番号２２ｆを変換候補２４ｃとする組と、電子メールアドレス２２ｇの項目の読み２２ｎ「あどれす」を読み２４ｂとし、電子メールアドレス２２ｇを変換候補２４ｃとする組と、住所２２ｈの項目の読み２２ｎ「じゅうしょ」を読み２４ｂとし、住所２２ｈを変換候補２４ｃとする組と、会社名２２ｉの項目の読み２２ｎ「かいしゃ」を読み２４ｂとし、会社名２２ｉを変換候補２４ｃとする組とである。
【００５０】
なお、上記の作成された読み２４ｂと、変換候補２４ｃとの組が既にアドレス帳辞書２４ａに含まれている場合、アドレス帳辞書作成部２３は、その組をアドレス帳辞書２４ａに重複追加しない。
【００５１】
一方、ステップＳ２３ｂで調べた、引数として与えられたアドレス帳管理部２１によって行われた操作が修正または削除である場合、アドレス帳辞書作成部２３は、アドレス帳辞書２４ａの全ての情報を削除する（ステップＳ２３ｅ）。そして、アドレス帳２２ａを読み込んで、アドレス帳２２ａの全ての情報の組に対して、ステップＳ２３ｃで説明した読み２４ｂと、変換候補２４ｃとの組を作成して、アドレス帳辞書２４ａに追加する。そして、全ての組が追加されたアドレス帳辞書２４ａをアドレス帳辞書記憶部２４に更新格納して（ステップＳ２３ｆ）、動作を終了する（ステップＳ２３ｄ）。
【００５２】
なお、アドレス帳辞書２４ａは、図２に示すアドレス帳２２ａから作成されたものであり、アドレス帳辞書作成部２３は上記の処理に基づいて図３のアドレス帳辞書２４ａを作成する。
【００５３】
即ち、アドレス帳２２ａの名２２ｅが「亜衣」である情報の組から、読み２４ｂが「あい」、変換候補２４ｃが「亜衣」、「４５６７８９１」、「ａａａ＠ｙｙｙ．ｃｏ．ｊｐ」、「Ａ市」及び「Ｘ社」である情報がアドレス帳辞書２４ａに追加されている。ここで、この名２２ｅが「亜衣」である情報の組には姓読みがな２２ｂ及び姓の入力読み２２ｊが含まれていないので、名読みがな２２ｃのみが読み２４ｂとして用いられている。
【００５４】
また、アドレス帳２２ａの姓２２ｄが「宇佐」である情報の組から、読み２４ｂが「うさ」、変換候補２４ｃが「宇佐」、「８７６５４３２」、「ｂｂｂ＠ｙｙｙ．ｃｏ．ｊｐ」、「Ｂ市」及び「Ｙ社」である情報がアドレス帳辞書２４ａに追加されている。ここで、この姓２２ｄが「宇佐」である情報の組には、姓読みがな２２ｂ、名読みがな２２ｃ及び名の入力読み２２ｋが含まれていないので、姓の入力読み２２ｊのみが読み２４ｂとして用いられている。
【００５５】
更に、アドレス帳２２ａの姓２２ｄが「鈴木」である情報の組から、読み２４ｂ「すずき」、変換候補２４ｃが「鈴木」、「太郎」、「鈴木太郎」、「１２３４５６７」、「ｘｘｘ＠ｙｙｙ．ｃｏ．ｊｐ」、「Ｃ市」及び「Ｘ社」である情報がアドレス帳辞書２４ａに追加されている。また、読み２４ｂ「たろう」、変換候補２４ｃが「鈴木」、「太郎」、「鈴木太郎」、「１２３４５６７」、「ｘｘｘ＠ｙｙｙ．ｃｏ．ｊｐ」、「Ｃ市」及び「Ｘ社」である情報がアドレス帳辞書２４ａに追加されている。
【００５６】
更に、項目２２ｍが姓２２ｄである情報から、読み２４ｂがその項目の読み２２ｎ「なまえ」、変換候補２４ｃが「宇佐」、「鈴木」及び「鈴木太郎」である情報がアドレス帳辞書２４ａに追加されている。項目２２ｍが名２２ｅである情報から、読み２４ｂがその項目の読み２２ｎ「な」、変換候補２４ｃが「亜衣」、「太郎」及び「鈴木太郎」である情報がアドレス帳辞書２４ａに追加されている。
【００５７】
また、項目２２ｍが電話番号２２ｆである情報から、読み２４ｂがその項目の読み２２ｎ「でんわ」、変換候補２４ｃが「４５６７８９１」、「８７６５４３２」及び「１２３４５６７」である情報がアドレス帳辞書２４ａに追加されている。また、項目２２ｍが電子メールアドレス２２ｇである情報から、読み２４ｂがその項目の読み２２ｎ「あどれす」、変換候補２４ｃが「ａａａ＠ｙｙｙ．ｃｏ．ｊｐ」、「ｂｂｂ＠ｙｙｙ．ｃｏ．ｊｐ」及び「ｘｘｘ＠ｙｙｙ．ｃｏ．ｊｐ」である情報がアドレス帳辞書２４ａに追加されている。
【００５８】
更に、項目２２ｍが住所２２ｈである情報から、読み２４ｂがその項目の読み２２ｎ「じゅうしょ」、変換候補２４ｃが「Ａ市」、「Ｂ市」及び「Ｃ市」である情報がアドレス帳辞書２４ａに追加されている。項目２２ｍが会社名２２ｉである情報から、読み２４ｂがその項目の読み２２ｎ「かいしゃ」、変換候補２４ｃが「Ｘ社」及び「Ｙ社」である情報がアドレス帳辞書２４ａに追加されている。
【００５９】
（文字変換部の動作）
図９は、文字変換部３１の動作のフローチャートを示す。文字変換部３１は、制御部１１に起動されて動作を開始し、その際、制御部１１は、ひらがな文字または数字からなる文字列を引数として与える（ステップＳ３１ａ）。そして、文字変換部３１は、引数として与えられた文字がひらがな文字であるか、数字であるかを調べる（ステップＳ３１ｂ）。引数がひらがな文字である場合、その文字と読み３２ｂとが等しい情報の組を文字変換辞書３２ａから検索することによって変換候補３２ｃを得る（ステップＳ３１ｃ）。更に、その文字と読み２４ｂとが等しい情報の組をアドレス帳辞書２４ａから検索することによって変換候補２４ｃを得る（ステップＳ３１ｄ）。
【００６０】
次に、文字変換部３１は、上記得られた２種類の変換候補を表示部１５に表示する（ステップＳ３１ｅ）。そして、入力装置１６のキーの押下によって表示された変換候補中のいずれか１つが選択され（ステップＳ３１ｆ）、変換候補が確定すると、その変換候補を制御部１１に送信して（ステップＳ３１ｇ）、動作を終了する（ステップＳ３１ｈ）。
【００６１】
一方、ステップＳ３１ｂで調べた結果、引数が数字である場合、文字変換部３１は、その数字と読み３２ｂとが等しい情報の組を文字変換辞書３２ａから検索することによって変換候補３２ｃを得る（ステップＳ３１ｉ）。更に、その数字を電話番号２２ｆの一部の数字として持つ情報の組をアドレス帳２２ａから検索することをアドレス帳管理部２１に指示し、その指示に応答してアドレス帳管理部２１から送信された姓２２ｄ、名２２ｅ、電話番号２２ｆ、電子メールアドレス２２ｇ、住所２２ｈ、及び、会社名２２ｉとからなる検索結果を受信して、その検索結果と、姓２２ｄと名２２ｅを連結したものとを引数である数字に加えて変換候補とする（ステップＳ３１ｊ）。
【００６２】
なお、入力装置１６のキーの操作によって電話番号２２ｆが入力される際、例えば、市外局番とそれ以外の番号とを分割するために、数字の間に空白文字や、「−」記号文字が挿入されることがある。そこで、文字変換部３１は、これらの文字を削除して動作を行う。
【００６３】
更に、文字変換部３１は、引数の数字を郵便番号３３ｂの一部の数字として持つ住所３３ｃを郵便番号簿３３ａから検索し、その住所３３ｃを住所２２ｈとして持つ、または、その住所３３ｃを住所２２ｈの一部として持つ情報の組をアドレス帳２２ａから検索することをアドレス帳管理部２１に指示し、その指示に応答してアドレス帳管理部２１から送信された姓２２ｄ、名２２ｅ、電話番号２２ｆ、電子メールアドレス２２ｇ、住所２２ｈ、及び、会社名２２ｉとからなる検索結果を受信して、その検索結果と、姓２２ｄと名２２ｅを連結したものとを引数である数字に加えて変換候補とする（ステップＳ３１ｋ）。
【００６４】
なお、入力装置１６のキーの操作によって郵便番号３３ｂが入力される際、数字の間に「−」記号文字が挿入されることがある。そこで、文字変換部３１は、この文字を削除して動作を行う。次に、文字変換部３１は、ステップＳ３１ｅ以降の、得られた変換候補を表示する動作以降の動作を行う。
【００６５】
ここで、文字変換部３１は、予測による変換を行っても良い。即ち、制御部１１から引数としてひらがな文字を受信することなく、制御部１１から送信されたひらがな文字を１文字づつ受信する度に、受信された全ての文字を連結した文字で始まる読み３２ｂを含む情報の組を文字変換辞書３２ａから検索し、次に、受信された全ての文字を連結した文字で始まる読み２４ｂを含む情報の組をアドレス帳辞書２４ａから検索し、これらの検索によって得られた変換候補３２ｃ及び変換候補２４ｃを表示部１５に表示する。そして、制御部１１から送信されたひらがな文字の文字数が増える毎に、ステップＳ３１ｃ以降の動作を繰り返して、更新された変換候補３２ｃ及び変換候補２４ｃを表示部１５に表示する。
【００６６】
また、制御部１１から引数として数字を受信することなく、制御部１１から送信された数字を１文字づつ受信する度に、受信された全ての数字を連結した数字で始まる電話番号２２ｆを持つ情報の組をアドレス帳２２ａから検索することをアドレス帳管理部２１に指示して、受信された検索結果を変換候補とする。更に、受信された全ての数字を連結した数字で始まる郵便番号３３ｂと組をなしている住所３３ｃを郵便番号簿３３ａから検索し、その住所３３ｃを住所２２ｈとして持つ、または、その住所３３ｃを住所２２ｈの一部として持つ情報の組をアドレス帳２２ａから検索することをアドレス帳管理部２１に指示して、受信された検索結果を変換候補とする。そして、これらの変換候補を表示部１５に表示する。そして、制御部１１から送信された数字の文字数が増える毎に、ステップＳ３１ｉ以降の動作を繰り返して、更新された変換候補を表示部１５に表示する。
【００６７】
なお、文字変換部３１は、引数として与えられた文字列がひらがな文字と数字とが連結された文字列である場合、その文字列を連続したひらがな文字と連続した数字とに分割し、分割された文字毎に、図９のフローチャートに示される動作を行って、文字変換を行う。
【００６８】
また、文字変換部３１は、文字変換辞書３２ａ及びアドレス帳辞書２４ａを用いてひらがな文字を漢字を含む文字に変換するとしたが、これに限るものではない。文字変換部３１は、文字変換辞書３２ａ及びアドレス帳２２ａを用いて同一の変換を行っても良い。この場合、情報処理装置は、アドレス帳辞書作成部２３及びアドレス帳辞書２４ａを有しない構成としても良く、文字変換部３１は、アドレス帳辞書作成部２３の動作に類似した動作を併せて行う。
【００６９】
即ち、文字変換部３１は、受信されたひらがな文字と、姓読みがな２２ｂまたは名読みがな２２ｃ（姓読みがな２２ｂに情報がない場合、それに代えて姓の入力読み２２ｊ。また、名読みがな２２ｃに情報がない場合、それに代えて名の入力読み２２ｋ。）とが等しいことを検索キーにアドレス帳２２ａを検索することをアドレス帳管理部２１に指示し、その検索で得られた情報の組の姓２２ｄと、名２２ｅと、姓２２ｄと名２２ｅとの連結と、電話番号２２ｆと、電子メールアドレス２２ｇと、住所２２ｈと、会社名２２ｉとを変換候補とする。
【００７０】
更に、文字変換部３１は、受信されたひらがな文字と項目の読み２２ｎとが等しい項目２２ｍ（姓２２ｄと、名２２ｅと、電話番号２２ｆと、電子メールアドレス２２ｇと、住所２２ｈと、会社名２２ｉとのいずれか１つ）としてアドレス帳２２ａに含まれている情報を検索することをアドレス帳管理部２１に指示し、検索された情報を変換候補とする。更に、上記項目２２ｍが姓２２ｄまたは名２２ｅである場合、検索された姓２２ｄまたは名２２ｅを検索キーに情報の組を検索することをアドレス帳管理部２１に指示し、検索された情報の組から姓２２ｄと名２２ｅとの連結を作成して、その連結を変換候補とする。
【００７１】
ここで、文字変換部３１によって表示部１５に表示される変換候補を参照して、文字変換部３１の文字変換能力を説明する。図１０は、入力されたひらがな文字「すずき」が、アドレス帳辞書２４ａに記憶されておらず、文字変換辞書３２ａのみによって文字変換が行われた場合の表示を示す。即ち、表示部１５は、その中央部に「変換」なる文字が表示された変換結果変換候補分離欄１５ｅによって上下に分けられ、下部の変換候補表示欄１５ｆには、変換候補３２ｃである「鈴木」、「スズキ」、「鱸」、「すずき」及び「スズキ（半角文字）」が一覧表示されている。
【００７２】
なお、「すずき」及び「スズキ（半角文字）」は、変換候補３２ｃに含まれていないが、文字変換部３１は、入力されたひらがな文字と、その文字の半角かたかな文字とを変換候補３２ｃと同一の扱いをする。そして、図１０は、ステップＳ３１ｆで、変換候補表示欄１５ｆに一覧表示された中から「鈴木」が選択された際の表示を示し、上部の変換結果表示欄１５ｇには、選択された「鈴木」が表示されており、また、「鈴木」が変換候補表示欄１５ｆの冒頭に表示されている。
【００７３】
一方、図１１は、入力されたひらがな文字「すずき」が、文字変換辞書３２ａ及びアドレス帳辞書２４ａによって文字変換が行われた場合の表示を示す。変換候補表示欄１５ｆには、変換候補３２ｃである「鈴木」、「スズキ」、「鱸」、「すずき」及び「スズキ（半角文字）」に加えて、変換候補２４ｃである「太郎」、「鈴木太郎」、「１２３４５６７」、「ｘｘｘ＠ｙｙｙ．ｃｏ．ｊｐ」、「Ｃ市」及び「Ｘ社」が一覧表示されている。
【００７４】
そして、図１１は、ステップＳ３１ｆで、変換候補表示欄１５ｆに一覧表示された中から「鈴木」が選択された際の表示を示し、変換結果表示欄１５ｇには、選択された「鈴木」が表示されており、また、「鈴木」が変換候補表示欄１５ｆの冒頭に表示されている。
【００７５】
上記説明した通り、文字変換部３１が文字変換辞書３２ａ及びアドレス帳辞書２４ａによって文字変換を行うことによって、アドレス帳２２ａに記憶された姓２２ｄが「鈴木」である人物についてのあらゆる情報を選択することができ、それらの情報が容易に入力できる。更には、記憶された姓２２ｄと、名２２ｅとが連結された「鈴木太郎」なる文字が表示され、その人物の姓名を容易に入力できる。
【００７６】
図１２は、入力されたひらがな文字「たろう」が、アドレス帳辞書２４ａに記憶されておらず、文字変換辞書３２ａのみによって文字変換が行われた場合の表示を示す。即ち、表示部１５は、その中央部に「変換」なる文字が表示された変換結果変換候補分離欄１５ｅによって上下に分けられ、下部の変換候補表示欄１５ｆには、「たろう」、「タロウ」及び「タロウ（半角文字）」が一覧表示されている。
【００７７】
文字変換辞書３２ａには、読み３２ｂが「たろう」である情報の組が含まれていないため、変換候補表示欄１５ｆには、文字変換部３１によって変換候補３２ｃと同一の扱いをされた、入力されたひらがな文字と、その文字のかたかな文字と、その文字の半角かたかな文字とが表示されている。そして、図１２は、ステップＳ３１ｅで、変換候補表示欄１５ｆに変換候補３２ｃが表示された際の表示を示し、変換結果表示欄１５ｇには、入力された「たろう」が表示されている。
【００７８】
一方、図１３は、入力されたひらがな文字「たろう」が、文字変換辞書３２ａ及びアドレス帳辞書２４ａによって文字変換が行われた場合の表示を示す。変換候補表示欄１５ｆには、変換候補３２ｃと同一の扱いをされた「たろう」、「タロウ」及び「タロウ（半角文字）」に加えて、変換候補２４ｃである「鈴木」、「太郎」、「鈴木太郎」、「１２３４５６７」、「ｘｘｘ＠ｙｙｙ．ｃｏ．ｊｐ」、「Ｃ市」及び「Ｘ社」が一覧表示されている。そして、図１３は、ステップＳ３１ｅで、変換候補表示欄１５ｆに変換候補３２ｃが表示された際の表示を示し、変換結果表示欄１５ｇには、入力された「たろう」が表示されている。
【００７９】
図１４は、入力されたひらがな文字「かいしゃ」が、アドレス帳辞書２４ａに記憶されておらず、文字変換辞書３２ａのみによって文字変換が行われた場合の表示を示す。変換候補表示欄１５ｆには、変換候補３２ｃである「会社」、「下位者」、「かいしゃ」、「カイシャ」及び「カイシャ（半角文字）」が一覧表示されている。なお、「かいしゃ」、「カイシャ」及び「カイシャ（半角文字）」は、既に説明した通り、文字変換部３１によって、変換候補３２ｃと同一の扱いがされる。
【００８０】
そして、図１４は、ステップＳ３１ｆで、変換候補表示欄１５ｆに一覧表示された中から「会社」が選択された際の表示を示し、変換結果表示欄１５ｇには、選択された「会社」が表示されており、また、「会社」が変換候補表示欄１５ｆの冒頭に表示されている。
【００８１】
一方、図１５は、入力されたひらがな文字「かいしゃ」が、文字変換辞書３２ａ及びアドレス帳辞書２４ａによって文字変換が行われた場合の表示を示す。変換候補表示欄１５ｆには、変換候補３２ｃである「会社」、「下位者」、「かいしゃ」、「カイシャ」及び「カイシャ（半角文字）」に加えて、変換候補２４ｃである「Ｘ社」及び「Ｙ社」が一覧表示されている。
【００８２】
そして、図１５は、ステップＳ３１ｆで、変換候補表示欄１５ｆに一覧表示された中から「Ｘ社」が選択された際の表示を示し、変換結果表示欄１５ｇには、選択された「Ｘ社」が表示されており、また、「Ｘ社」が変換候補表示欄１５ｆの先頭から表示されている。
【００８３】
上記説明の通り、文字変換部３１が文字変換辞書３２ａ及びアドレス帳辞書２４ａによって文字変換を行うことによって、アドレス帳２２ａに記憶された項目の読み２２ｎが「かいしゃ」である項目２２ｍに含まれる全ての情報を選択することができ、それらの情報の入力が容易になる。ここで、アドレス帳２２ａに姓２２ｄが記憶された人物の会社名２２ｉの変換のみに用いられるものではない。即ち、アドレス帳２２ａに姓２２ｄが記憶されていない人物の会社名２２ｉの変換に用いられて良い。
【００８４】
図１６は、入力された数字「４５６」が文字変換された場合の表示を示す。変換候補表示欄１５ｆには、入力された数字「４５６」に加えて、ステップＳ３１ｊの動作で得られた電話番号２２ｆに「４５６」が含まれる情報の組、即ち、電話番号２２ｆが「４５６７８９１」である情報の組の姓２２ｄ、名２２ｅ、電話番号２２ｆ、電子メールアドレス２２ｇ、住所２２ｈ、会社名２２ｉ、及び、姓２２ｄと名２２ｅとの連結、即ち、「あい」、「亜衣」、「４５６７８９１」、「ａａａ＠ｙｙｙ．ｃｏ．ｊｐ」、「Ａ市」及び「Ｘ社」なる変換候補が表示されている。
【００８５】
なお、「４５６」は、変換候補３２ｃに含まれていないが、文字変換部３１は、入力された数字を変換候補３２ｃと同一の扱いをする。また、姓２２ｄには情報が含まれていないため、表示されない。更に、姓２２ｄと名２２ｅとの連結は、名２２ｅと等しいので、重ねて表示されない。
【００８６】
ここで、入力された数字「４５６」が含まれる郵便番号３３ｂは、郵便番号簿３３ａに含まれていないため、ステップＳ３１ｋの動作による、郵便番号簿３３ａを検索することによる変換候補は表示されていない。そして、図１６は、ステップＳ３１ｅで、変換候補表示欄１５ｆに変換候補が表示された際の表示を示し、変換結果表示欄１５ｇには、入力された「４５６」が表示されている。
【００８７】
図１７は、入力された数字「２２」が文字変換された場合の表示を示す。変換候補表示欄１５ｆには、入力された数字「２２」に加えて、ステップＳ３１ｋの動作で得られた、住所２２ｈが、郵便番号３３ｂに「２２」が含まれる住所３３ｃ（「Ａ市」及び「Ｂ市」。）である情報の組の姓２２ｄ、名２２ｅ、電話番号２２ｆ、電子メールアドレス２２ｇ、住所２２ｈ、会社名２２ｉ、及び、姓２２ｄと名２２ｅとの連結、即ち、「あい」、「亜衣」、「４５６７８９１」、「ａａａ＠ｙｙｙ．ｃｏ．ｊｐ」、「Ａ市」、「Ｘ社」、「うさ」、「宇佐」、「８７６５４３２」、「ｂｂｂ＠ｙｙｙ．ｃｏ．ｊｐ」、「Ｂ市」及び「Ｙ社」、なる変換候補が表示されている。
【００８８】
なお、姓２２ｄが「宇佐」なる情報の組の名２２ｅには情報が含まれていないため、表示されない。更に、姓２２ｄと名２２ｅとの連結は、姓２２ｄと等しいので、重ねて表示されない。
【００８９】
ここで、入力された数字「２２」が含まれる電話番号２２ｆは、アドレス帳２２ａに含まれていないため、ステップＳ３１ｊの動作による、電話番号２２ｆを検索キーにアドレス帳２２ａを検索することによる変換候補は表示されていない。そして、図１７は、ステップＳ３１ｅで、変換候補表示欄１５ｆに変換候補が表示された際の表示を示し、変換結果表示欄１５ｇには、入力された「２２」が表示されている。
【００９０】
以上の説明では、アドレス帳辞書２４ａには、アドレス帳２２ａの姓２２ｄと名２２ｅとが連結された変換候補２４ｃが含まれるとし、また、また、文字変換部３１は、アドレス帳２２ａの姓２２ｄと名２２ｅとが連結された情報を出力するとしたが、これに限るものではない。例えば、姓２２ｄと名２２ｅとの間に所定の文字を加えても良く、また、連結の後、連結された文字の前後に所定の文字を加えても良い。
【００９１】
また、アドレス帳２２ａのいずれの項目２２ｍを連結しても良く、３つ以上の項目２２ｍを連結しても良い。そのため、アドレス帳辞書２４ａには、例えば、アドレス帳２２ａの姓２２ｄが「鈴木」なる人物の情報から、「Ｃ市    鈴木  太郎  殿」なる変換候補２４ｃが含まれていても良い。ここで、所定の文字には、改行を示す制御文字や、フォントを指示する制御文字が含まれていても良い。
【００９２】
また、以上の説明では、アドレス帳２２ａの姓読みがな２２ｂと姓の入力読み２２ｊと項目の読み２２ｎと、アドレス帳辞書２４ａの読み２４ｂと、文字変換辞書３２ａの読み３２ｂとは、ひらがな文字であるとしたが、これに限るものではない。表音文字であれば良く、かたかな文字であっても良く、ローマ字表記に従ったアルファベット文字であっても良い。また、文字変換部３１は、ひらがな文字を漢字を含む文字に変換する動作を行うとし、言い換えると、アドレス帳辞書２４ａの変換候補２４ｃと、文字変換辞書３２ａの変換候補３２ｃとは、漢字を含む文字であるとしたが、これに限るものではない。これらの変換候補は、アルファベット文字や記号文字など、あらゆる文字を含んでいても良く、表音文字のみであっても良い。
【００９３】
また、以上の説明では、アドレス帳２２ａは、電子メールアドレス２２ｇを記憶するとしたが、これに限るものではない。姓２２ｄ及び／または名２２ｅによって識別される（必ずしも一意に識別されることを要しない。）人物についての情報を記憶するものであれば良く、例えば、住所録であっても良い。また、人物についての情報を記憶するものに限るものではなく、組織についての情報を記憶するものであっても良い。
【００９４】
更に、以上の説明は、本発明を移動通信端末装置に適用した形態を例にとって行ったが、本発明は、アドレス帳２２ａを記憶し、文字変換部３１を有するあらゆる装置、例えば、パソコンや、ＰＤＡ（Personal Digital Assistant）に適用することも当然に可能である。
【００９５】
また、本発明が適用される装置は、必ずしもアドレス帳２２ａを記憶する必要はない。アドレス帳２２ａは、異なる装置が記憶し、その装置へは、通信部１２ｂを介してアクセス可能であれば良い。本発明は以上の構成に限定されるものではなく、種々の変形が可能である。
【図面の簡単な説明】
【００９６】
【図１】本発明の実施形態に係る情報処理装置の構成を示すブロック図。
【図２】本発明の実施形態に係るアドレス帳の一例を示す図。
【図３】本発明の実施形態に係るアドレス帳辞書の一例を示す図。
【図４】本発明の実施形態に係る文字変換辞書の一例を示す図。
【図５】本発明の実施形態に係る郵便番号簿の一例を示す図。
【図６】本発明の実施形態に係るアドレス帳管理部の動作を示すフローチャート。
【図７】本発明の実施形態に係るアドレス帳管理部によって表示部に行われる表示の一例を示す図。
【図８】本発明の実施形態に係るアドレス帳辞書作成部の動作を示すフローチャート。
【図９】本発明の実施形態に係る文字変換部の動作を示すフローチャート。
【図１０】本発明の実施形態に係る文字変換部によって表示部に行われる表示の一例を示す図（その１）。
【図１１】本発明の実施形態に係る文字変換部によって表示部に行われる表示の一例を示す図（その２）。
【図１２】本発明の実施形態に係る文字変換部によって表示部に行われる表示の一例を示す図（その３）。
【図１３】本発明の実施形態に係る文字変換部によって表示部に行われる表示の一例を示す図（その４）。
【図１４】本発明の実施形態に係る文字変換部によって表示部に行われる表示の一例を示す図（その５）。
【図１５】本発明の実施形態に係る文字変換部によって表示部に行われる表示の一例を示す図（その６）。
【図１６】本発明の実施形態に係る文字変換部によって表示部に行われる表示の一例を示す図（その７）。
【図１７】本発明の実施形態に係る文字変換部によって表示部に行われる表示の一例を示す図（その８）。
【符号の説明】
【００９７】
１５  表示部
１５ａ  操作表示欄
１５ｂ  登録情報表示欄
１５ｃ  指示表示欄
１５ｅ  変換結果変換候補分離欄
１５ｆ  変換候補表示欄
１５ｇ  変換結果表示欄
１６  入力装置
２１  アドレス帳管理部
２２  アドレス帳記憶部
２２ａ  アドレス帳
２２ｂ  姓読みがな
２２ｃ  名読みがな
２２ｄ  姓
２２ｅ  名
２２ｆ  電話番号
２２ｇ  電子メールアドレス
２２ｈ  住所
２２ｉ  会社名
２２ｊ  姓の入力読み
２２ｋ  名の入力読み
２２ｍ  項目
２２ｎ  項目の読み
２３  アドレス帳辞書作成部
２４  アドレス帳辞書記憶部
２４ａ  アドレス帳辞書
２４ｂ  読み
２４ｃ  変換候補
３１  文字変換部
３２  文字変換辞書記憶部
３２ａ  文字変換辞書
３２ｂ  読み
３２ｃ  変換候補
３３  郵便番号簿記憶部
３３ａ  郵便番号簿
３３ｂ  郵便番号
３３ｃ  住所
【図１】
2006318411.tif 000003
【図２】
2006318411.tif 000004
【図３】
2006318411.tif 000005
【図４】
2006318411.tif 000006
【図５】
2006318411.tif 000007
【図６】
2006318411.tif 000008
【図７】
2006318411.tif 000009
【図８】
2006318411.tif 000010
【図９】
2006318411.tif 000011
【図１０】
2006318411.tif 000012
【図１１】
2006318411.tif 000013
【図１２】
2006318411.tif 000014
【図１３】
2006318411.tif 000015
【図１４】
2006318411.tif 000016
【図１５】
2006318411.tif 000017
【図１６】
2006318411.tif 000018
【図１７】
2006318411.tif 000019